(57)【要約】【課題】  組み立てを行いやすくし、使用時の高強度とすることができる筆記具用クリップを提供する。【解決手段】  本発明の筆記具用クリップ１は、本体部材１０と、クリップ部材１１と、クリップ部材１１を付勢する付勢部材１２とを有している。そして、本体部材１０に連結凸部２１が設けられ、クリップ部材１１には２ヵ所の側片部３２が設けられており、２ヵ所の側片部３２同士の間に連結凸部２１が配置される。  また、連結凸部２１の外面には受け部２３が、側片部３２の内面には軸用凸部３６が形成されており、軸用凸部３６を受け部２３に入れることによりクリップ部材１１が揺動可能に連結されている。  受け部２３が設けられている連結凸部２１の外面には、テーパー部２５が形成されており、軸用凸部３６の先端をテーパー部２５に接触させて、側片部３２同士の間を徐々に開いて、軸用凸部３６を受け部２３に入れる。【選択図】図２
2009045855.tif 000002
【特許請求の範囲】
【請求項１】
長尺状の本体部材と、前記本体部材に連結されるクリップ部材と、前記クリップ部材を付勢する付勢部材とを有し、
本体部材及びクリップ部材のいずれか一方には連結凸部が設けられ、他方には２ヵ所の側片部が設けられており、２ヵ所の側片部同士の間に連結凸部が配置されるものであり、
連結凸部の外面、及び、側片部の内面の、いずれか一方には軸用凸部が、他方には受け部が形成されており、軸用凸部を受け部に入れることによりクリップ部材が揺動可能に連結されており、
前記受け部が設けられている、連結凸部の外面、又は、側片部の内面には、テーパー部が形成されており、
本体部材とクリップ部材とを連結させる場合には、本体部材の長さ方向に移動させ、軸用凸部の先端をテーパー部に接触させて、側片部同士の間を徐々に開いて、軸用凸部を受け部に入れることができることを特徴とする筆記具用クリップ。
【請求項２】
軸用凸部の先端にはテーパー部が設けられ、前記テーパー部の傾斜は、連結凸部の外面、又は、側片部の内面に形成されているテーパー部に合わせられていることを特徴とする請求項１に記載の筆記具用クリップ。
【請求項３】
付勢部材には、板バネ又はコイルバネが用いられていることを特徴とする請求項１又は２に記載の筆記具用クリップ。
【発明の詳細な説明】
【技術分野】
【０００１】
本発明は、筆記具用クリップに関するものである。
【背景技術】
【０００２】
従来より、ボールペンなどの筆記具にクリップが設けられたものがある。そして、胸ポケットなどにクリップと本体との間に挟んで、使用することができる。
このようなクリップには、クリップ部材を可動できるようにしながら本体側に付勢している構造のものがある。
【０００３】
例えば、特許文献１には、縦突起を有するクリップ部材と、枢支部を有する筒体とを有し、縦突起を枢支部に配置させ、Ｕ字状の挟みバネによって付勢するものが記載されている。
また、特許文献２には、クリップ本体に２ヵ所の側壁を設けて、それぞれに受容孔を形成し、一方、ボールペンの本体に凸状体を形成し、凸状体の両側に円柱状の凸部である軸体を形成した筆記具用クリップが記載されている。そして、この筆記具用クリップは、軸体を受容孔に配置することで揺動可能に連結して、さらに板ばねでクリップを付勢している。
【特許文献１】特許第３１７５９３３号公報
【特許文献２】特開２００７−１３０８９１号公報
【発明の開示】
【発明が解決しようとする課題】
【０００４】
特許文献２に記載されたクリップの構造では、具体的な組み立て方法の開示はないが、通常、このような受容孔に円柱状の凸部である軸体を配置する際には、弾性変形を利用して押し込んで行われる。
そのため、円柱状の凸部を長くするなどして、軸体と受容孔との連結状態が抜けにくい構造にするのは、上記の押し込みが難しく、連結が困難となって組み立てが行いにくくなる。そして、場合によっては、連結ができなかったり、連結を行う際に軸体や受容孔が破損したりする。
【０００５】
そこで、本発明は、組み立てを行いやすくし、使用時の強度を高強度とすることができる筆記具用クリップを提供することを課題とするものである。
【課題を解決するための手段】
【０００６】
上記した目的を達成するための請求項１に記載の発明は、長尺状の本体部材と、前記本体部材に連結されるクリップ部材と、前記クリップ部材を付勢する付勢部材とを有し、本体部材及びクリップ部材のいずれか一方には連結凸部が設けられ、他方には２ヵ所の側片部が設けられており、２ヵ所の側片部同士の間に連結凸部が配置されるものであり、連結凸部の外面、及び、側片部の内面の、いずれか一方には軸用凸部が、他方には受け部が形成されており、軸用凸部を受け部に入れることによりクリップ部材が揺動可能に連結されており、前記受け部が設けられている、連結凸部の外面、又は、側片部の内面には、テーパー部が形成されており、本体部材とクリップ部材とを連結させる場合には、本体部材の長さ方向に移動させ、軸用凸部の先端をテーパー部に接触させて、側片部同士の間を徐々に開いて、軸用凸部を受け部に入れることができることを特徴とする筆記具用クリップである。
【０００７】
請求項１に記載の発明によれば、軸用凸部を受け部に入れることによりクリップ部材が揺動可能に連結されるものであり、本体部材とクリップ部材とを連結させる場合には、本体部材の長さ方向に移動させ、軸用凸部の先端をテーパー部に接触させて、側片部同士の間を徐々に開いて、軸用凸部を受け部に入れることができるので、連結の際に本体部材やクリップ部材の破損を防止しながら連結作業が行いやすく、さらに確実に連結することができる。
【０００８】
請求項２に記載の発明は、軸用凸部の先端にはテーパー部が設けられ、前記テーパー部の傾斜は、連結凸部の外面、又は、側片部の内面に形成されているテーパー部に合わせられていることを特徴とする請求項１に記載の筆記具用クリップである。
【０００９】
請求項２に記載の発明によれば、軸用凸部の先端にはテーパー部が設けられ、前記テーパー部の傾斜は、連結凸部の外面、又は、側片部の内面に形成されているテーパー部に合わせられているので、本体部材とクリップ部材との連結をスムーズに行うことができる。
【００１０】
また、付勢部材には板バネやコイルバネを用いることができる（請求項３）。
【発明の効果】
【００１１】
本発明の筆記具用クリップによれば、連結の際に本体部材やクリップ部材が破損しにくく、組み立てが行いやすく、確実に連結することができる。
【発明を実施するための最良の形態】
【００１２】
本発明の第１の実施形態における筆記具用クリップ１は、図１に示されるように、本体部材１０と、クリップ部材１１と、付勢部材１２とを有している。そして、クリップ部材１１が本体部材１０に揺動可能に連結され、また、付勢部材１２によって、クリップ部材１１の押さえ部３５が本体部材１０側に移動する方向に付勢されており、押さえ部３５と本体部材１０との間に、被服のポケットなどを挟んで使用することができる。
【００１３】
図２に示されるように、本体部材１０の全体の形状は筒状であって長尺状であり、所定の長さを有している。そして、本体部材１０には筒部２０と連結凸部２１が形成されている。
筆記具用クリップ１を使用する際には、本体部材１０の筒部２０の内部に図示しない筆記部を配置させて、筆記対象に筆記して使用される。
【００１４】
連結凸部２１は、筒部２０の表面から突出している部分であり、クリップ部材１１の側片部３２と連結される部分である。
連結凸部２１には、連結凸部２１の側面２１ａ同士を貫通する貫通孔２２が形成されている。そして、貫通孔２２の両側が受け部２３となり、この受け部２３に、側片部３２の軸用凸部３６が入って、本体部材１０とクリップ部材１１とが連結される。
【００１５】
連結凸部２１の形状は山型状であり、筒部２０から遠い部分ほど、本体部材１０の長さ方向の長さが短くなっている。なお、連結凸部２１の形状は山型状以外の形状であっても良い。
【００１６】
貫通孔２２の貫通方向は、本体部材１０の長さ方向に対して直交する方向であり、クリップ部材１１の揺動の軸となる方向に合わせられている。
なお、軸用凸部３６を入れることが可能であれば、貫通孔２２のように貫通していなくてもよく、連結凸部２１の側面２１ａに凹状の部分を形成して受け部２３とすることができる。
【００１７】
連結凸部２１には、図２、図４に示されるように、テーパー部２５が形成されている。テーパー部２５は連結凸部２１の外面である側面２１ａに形成されており、本体部材１０の長さ方向に幅が変化する部分である。そして、具体的には、受け部２３側ほど幅が広くなっており、クリップ部材１１の押さえ部３５側の幅が狭く、操作端部３８側の幅が拡がるような形状となっている。
このテーパー部２５は、連結の際に用いられるものであるが、長さ方向に幅が変化する形状である。そして、例えば、連結凸部２１に、筒部２０に対して近づく方向に幅が変化するテーパーを形成する場合に比べて、貫通孔２２の外側部分の厚みを確保することができる。そのため、連結後に、本体部材１０とクリップ部材１１とが離れる方向に力が作用した場合の強度を高くすることができる。
また、テーパー部２５は、側面２１ａの筒部２０付近に形成されている。そのため、クリップ部材１１が、本体部材１０から離れる方向に力が作用する場合にも、強度を確保することができる。
【００１８】
本体部材１０には、図３に示されるように、バネ挿入孔２６が形成されている。バネ挿入孔２６は、連結凸部２１の付け根付近に位置している。そして、バネ挿入孔２６は、本体部材１０の長さ方向に延びる孔であり、付勢部材１２の一方の端部１２ａが挿入される。
また、筒部２０には、長さ方向に延びるスリット２７が形成されている。なお、このスリット２７は無くてもよい。
【００１９】
クリップ部材１１は、図２に示されるように、細長い棒状乃至板状の部材であり、側片部３２、バネ受け凹部３３、押さえ部３５が設けられている。
そして、後述するように、押さえ部３５側が本体部材１０の筒部２０側となるように付勢されており、押さえ部３５とは反対側の操作端部３８を摘むことにより、クリップ操作が行われる。
【００２０】
図２、図４に示されるように、側片部３２は２ヵ所設けられており、本体部材１０側に突出した板状の部分である。そして、側片部３２同士の間に、連結凸部２１が配置されるようにして、本体部材１０とクリップ部材１１とが連結される。
また、側片部３２の内面に軸用凸部３６が形成されている。軸用凸部３６は、断面が円形の形状であって、内側に向かって突出している部分であり、受け部２３に入れられる部分である。また、側片部３２のそれぞれに軸用凸部３６が形成されているが、これらの２ヵ所の軸用凸部３６は同軸上に配置されている。
【００２１】
図４に示されるように、軸用凸部３６の先端の面には、テーパー部３６ｂが形成されている。このテーパー部３６ｂは、本体部材１０のテーパー部２５に合わせられており、テーパー部２５と同じ方向に傾斜するものであって傾斜角度がほぼ同じとなるような形状となっている。
【００２２】
バネ受け凹部３３は、側片部３２同士の間に配置されており、側片部３２の突出方向とは反対側の面に形成されている。そして、バネ受け凹部３３に、付勢部材１２のＶ曲げ部４１が配置され、クリップ部材１１を付勢している。
クリップ部材１１は、軸用凸部３６や受け部２３を揺動の軸として、本体部材１０に対して揺動するものである。そして、図３に示されるように、バネ受け凹部３３の位置は、軸用凸部３６や受け部２３を基準として、押さえ部３５側であり、操作端部３８とは反対側であるので、クリップ部材１１は、押さえ部３５側が本体部材１０側に移動するように付勢されている。
【００２３】
本体部材１０やクリップ部材１１の材質は限定されるものではないが、本実施形態では樹脂成形品が用いられている。
【００２４】
付勢部材１２は、図２に示されるように、幅がほぼ一定のＵ字状の金属製の板バネが用いられている。付勢部材１２の一方の端部１２ａは、平坦状であり、他方の端部１２ｂはＶ字曲げ部４１が形成されている。Ｖ字曲げ部４１は、Ｕ字の内側に頂部４１ａが形成されるように曲げられている。
【００２５】
そして、図３に示されるように付勢部材１２の一方の端部１２ａがバネ挿入孔２６に挿入され、他方の端部１２ｂはＶ字曲げ部４１は、バネ受け凹部３３に配置し、付勢部材１２によって、クリップ部材１１の押さえ部３５側を本体部材１０側に付勢している。
【００２６】
次に、筆記具用クリップ１の組み立て方法について説明する。
筆記具用クリップ１の組み立ては、本体部材１０とクリップ部材１１とを連結し、付勢部材１２を取り付けて行われる。
【００２７】
本体部材１０とクリップ部材１１との連結は、図５の矢印に示すように、クリップ部材１１を本体部材１０の表面に沿わすようにしながら、クリップ部材１１の押さえ部３５側から操作端部３８側に向かう方向、すなわち、本体部材１０の長さ方向に移動させ、側片部３２が本体部材１０の連結凸部２１に近づけるようにして行う。そして、２ヵ所の側片部３２の間に連結凸部２１が入っていくが、このとき、軸用凸部３６の先端がテーパ部２５に接触して、側片部３２同士の間隔が、弾性変形によって徐々に開いていく。
さらに、クリップ部材１１を移動させ、軸用凸部３６を受け部２３に入れて、本体部材１０とクリップ部材１１との連結が完了し、図４に示されるような状態となる。この連結状態では、弾性変形によって開いていた側片部３２が元に戻った状態となる。
【００２８】
本体部材１０とクリップ部材１１とが連結されると、軸用凸部３６が受け部２３からの離脱が困難となり、外れない状態となる。また、クリップ部材１１は、軸用凸部３６を揺動軸として揺動可能な状態となる。
【００２９】
また、付勢部材１２の取り付けは、一方の端部１２ａを本体部材１０のバネ挿入孔２６に挿入し、他方の端部１２ｂのＶ字曲げ部４１を、バネ受け凹部３３に配置するようにして行われる。
この付勢部材１２の取り付けは、本体部材１０とクリップ部材１１とを連結した後で行ってもよく、本体部材１０とクリップ部材１１との連結を行いながら、付勢部材１２を取り付けてもよい。
【００３０】
付勢部材１２が取り付けられた状態では、自然な状態に比べて、一方の端部１２ａとＶ字曲げ部４１とが離れた状態となるので、Ｖ字曲げ部４１がバネ受け凹部３３を押して、クリップ部材１１を付勢し、押さえ部３５が筒部２０に接触した状態となっている。
また、図３に示されるように、Ｖ字曲げ部４１の頂部４１ａと、バネ受け凹部３３の操作端部３８側の突出部３３ａとが引っ掛かっており、そのため、付勢部材１２が離脱しない状態となっている。
【００３１】
筆記具用クリップ１のクリップ部分を使用する場合には、操作端部３８と筒部２０とを摘んで、押さえ部３５側を開き、この状態で何かを挟んで使用する。そして、再び、操作端部３８と筒部２０とを摘んで、挟まれた物を移動させて離して離脱させ、筆記などを行う。
【００３２】
なお、上記した実施形態の筆記具用クリップ１では、連結凸部２１の外面に受け部２３が形成され、側片部３２の内面に軸用凸部３６が形成されているものであったが、逆の構造、すなわち、連結凸部２１の外面に軸用凸部３６が形成され、側片部３２の内面に受け部２３が形成されている構造も採用することができる。この場合、受け部２３が設けられている側片部３２の内面にテーパー部２５が形成される。
【００３３】
また、本体部材１０とクリップ部材１１との連結の際に移動させる方向を、上記した実施形態の筆記具用クリップ１とは逆にしたものも採用することができる。具体的には、テーパー部２５を、クリップ部材１１の押さえ部３５側の幅が広く、操作端部３８側の幅が狭くなるような形状とし、クリップ部材１１を本体部材１０の表面に沿わすようにしながら、クリップ部材１１の押さえ部３５側から、本体部材１０の連結凸部２１に近づけるようにして、本体部材１０とクリップ部材１１との連結を行う。
【００３４】
さらに、付勢部材１２には板バネを用いているが、コイルバネなどの他のものを用いても良い。
【００３５】
例えば、本発明の第２の実施形態における筆記具用クリップ２は、図６、図７に示されており、本体部材６０、クリップ部材６１、付勢部材１２を有している。そして、クリップ部材６１の側片部３２に受け部２３が形成されており、本体部材６０の連結凸部２１に軸用凸部３６が設けられている。
【００３６】
図７に示されるように、側片部３２の内面にテーパ部２５が形成されており、また、連結凸部２１に軸用凸部３６の先端面にテーパー部３６ｂが形成されている。そして、図６の矢印で示すように、クリップ部材６１を本体部材６０の表面に沿わすようにしながら、クリップ部材６１の押さえ部３５側から操作端部３８側に向かう方向に移動させ、側片部３２が本体部材６０の連結凸部２１に近づけるようにして行う。そして、２ヵ所の側片部３２の間に連結凸部２１が入り、連結凸部２１の軸用凸部３６を側片部３２の受け部２３に入れて、本体部材６０とクリップ部材６１との連結が完了する。
【００３７】
なお、筆記具用クリップ２の本体部材６０やクリップ部材６１の他の構造や、付勢部材１２については、上記した筆記具用クリップ１と同様の構造である。
【００３８】
また、本発明の第３の実施形態における筆記具用クリップ３は、図８、図９に示されており、本体部材１０、クリップ部材１１、付勢部材６３を有しており、上記した第１の実施形態の筆記具用クリップ１と比べて、付勢部材６３のみが異なるものである。そして、この付勢部材６３は、コイルバネが用いられているものである。
【００３９】
付勢部材６３は、クリップ部材１１の操作端部３８付近であって、本体部材１０とクリップ部材１１との間に配置されている。そして、付勢部材６３が配置された状態では、圧縮された状態となっており、押さえ部３５が本体部材１０に接触した状態となっている。
【００４０】
さらに、本発明の第４の実施形態における筆記具用クリップ４は、図１０、図１１に示されており、本体部材７０、クリップ部材７１、付勢部材６３を有している。そして、上記した第３の実施形態の筆記具用クリップ３と比べて、テーパー部２５やテーパー部３６ｂの位置が異なっているものである。
具体的には、本実施形態のテーパー部２５は、クリップ部材１１の操作端部３８側の幅が狭く、押さえ部３５側の幅が拡がるような形状となっており、軸用凸部３６の先端面のテーパー部３６ｂは、テーパー部２５に合わせて形成されている。
【００４１】
そして、本体部材７０とクリップ部材７１との連結は、図１０の矢印で示すように、クリップ部材７１を本体部材７０の表面に沿わすようにしながら、クリップ部材７１の操作端部３８側から押さえ部３５側に向かう方向に移動させ、側片部３２が本体部材１０の連結凸部２１に近づけるようにして行う。そして、２ヵ所の側片部３２の間に連結凸部２１が入り、側片部３２の軸用凸部３６を連結凸部２１の受け部２３に入れて、本体部材１０とクリップ部材１１との連結が行われる。
【図面の簡単な説明】
【００４２】
【図１】本発明の第１の実施形態における筆記具用クリップの斜視図である。
【図２】図１に示す筆記具用クリップの分解斜視図である。
【図３】図１に示す筆記具用クリップのＡ−Ａ断面図である。
【図４】図１に示す筆記具用クリップのＢ−Ｂ断面図である。
【図５】図１に示す筆記具用クリップの組み立て途中を示した正面図である。
【図６】本発明の第２の実施形態における筆記具用クリップの斜視図である。
【図７】図６に示す筆記具用クリップの連結部分を示した断面図である。
【図８】本発明の第３の実施形態における筆記具用クリップの斜視図である。
【図９】図８に示す筆記具用クリップの連結部分を示した断面図である。
【図１０】本発明の第４の実施形態における筆記具用クリップの斜視図である。
【図１１】図１０に示す筆記具用クリップの連結部分を示した断面図である。
【符号の説明】
【００４３】
１、２、３、４  筆記具用クリップ
１０、６０、７０  本体部材
１１、６１、７１  クリップ部材
１２、６３  付勢部材  
２１  連結凸部
２３  受け部
２５  テーパー部
３２  側片部
３６  軸用凸部
３６ｂ  テーパー部
【図１】
2009045855.tif 000003
【図２】
2009045855.tif 000004
【図３】
2009045855.tif 000005
【図４】
2009045855.tif 000006
【図５】
2009045855.tif 000007
【図６】
2009045855.tif 000008
【図７】
2009045855.tif 000009
【図８】
2009045855.tif 000010
【図９】
2009045855.tif 000011
【図１０】
2009045855.tif 000012
【図１１】
2009045855.tif 000013